(57)【要約】【課題】利得可変増幅部の利得をＲＦ信号のピークレベルの逆数に定数を乗じた値とするときに、複雑な手順を用いることなく、定数を精度のよいものとする。【解決手段】再生対象となる光ディスク１をデータが記録された標準光ディスクとしたときのＲＦ信号４０１の振幅をピークレベルで除して得られた標準比率値を記憶する比率値記憶手段１５を備え、利得制御手段１７は、ピーク検出部８により検出されたピークレベルに比率値記憶手段１５が記憶した標準比率値を乗じることによって想定振幅値を求め、利得可変増幅部５の出力の振幅の目標値である目標振幅値を想定振幅値で除して得られた想定利得を利得可変増幅部５の利得としている。【選択図】  図１
2007080398.tif 000002
【特許請求の範囲】
【請求項１】
光ディスクからの反射光を検出する光ピックアップと、
光ピックアップの出力からＲＦ信号を生成するアナログ信号部と、
光ピックアップの出力からＤＰＤ信号を生成するＤＰＤ信号生成部と、
ＲＦ信号のピークレベルを検出するピーク検出部と、
ＲＦ信号を増幅する利得可変増幅部と、
ＲＦ信号の振幅を検出する振幅検出手段と、
利得可変増幅部の利得を、ピーク検出部により検出されたピークレベルの逆数に比例した利得に設定する利得制御手段とを備えた光ディスク再生装置において、
光ピックアップにより反射光が検出される光ディスクをデータが記録された標準光ディスクとしたときのＲＦ信号の振幅を、前記ＲＦ信号のピークレベルで除して得られた標準比率値を記憶する比率値記憶手段と、
ＤＰＤ信号のレベルに基づいて、光ピックアップが反射光を検出する位置が、データが記録されていない未記録領域なのか、あるいはデータが記録された記録領域なのかを判別する記録／未記録判別手段とを備え、
利得制御手段は、記録／未記録判別手段の判別結果が未記録領域を示すときには、ピーク検出部により検出されたピークレベルに比率値記憶手段が記憶した標準比率値を乗じることによって想定振幅値を求め且つ利得可変増幅部の出力の振幅の目標値である目標振幅値を想定振幅値で除して得られた想定利得を利得可変増幅部の利得とし、記録／未記録判別手段の判別結果が記録領域を示すときには、目標振幅値を振幅検出手段により検出された振幅値で除して得られた実測利得を利得可変増幅部の利得とすることを特徴とする光ディスク再生装置。
【請求項２】
光ディスクからの反射光を検出する光ピックアップと、
光ピックアップの出力からＲＦ信号を生成するアナログ信号部と、
ＲＦ信号のピークレベルを検出するピーク検出部と、
ＲＦ信号を増幅する利得可変増幅部と、
利得可変増幅部の利得を、ピーク検出部により検出されたピークレベルの逆数に比例した利得に設定する利得制御手段とを備えた光ディスク再生装置において、
光ピックアップにより反射光が検出される光ディスクをデータが記録された標準光ディスクとしたときのＲＦ信号の振幅を、前記ＲＦ信号のピークレベルで除して得られた標準比率値を記憶する比率値記憶手段を備え、
利得制御手段は、ピーク検出部により検出されたピークレベルに比率値記憶手段が記憶した標準比率値を乗じることによって想定振幅値を求め且つ利得可変増幅部の出力の振幅の目標値である目標振幅値を想定振幅値で除して得られた想定利得を利得可変増幅部の利得とすることを特徴とする光ディスク再生装置。
【請求項３】
光ピックアップが反射光を検出する位置が、データが記録されていない未記録領域なのか、あるいはデータが記録された記録領域なのかを判別する記録／未記録判別手段と、
ＲＦ信号の振幅を検出する振幅検出手段とを備え、
利得制御手段は、記録／未記録判別手段の判別結果が未記録領域を示すときには利得可変増幅部の利得を想定利得とし、記録／未記録判別手段の判別結果が記録領域を示すときには目標振幅値を振幅検出手段により検出された振幅値で除して得られた実測利得を利得可変増幅部の利得とすることを特徴とする請求項２に記載の光ディスク再生装置。
【発明の詳細な説明】
【技術分野】
【０００１】
本発明は、ＲＦ信号を増幅する利得可変増幅部の利得を、ＲＦ信号のピークレベルの逆数に比例した利得に設定する光ディスク再生装置に係り、より詳細には、光ディスクをデータが記録された標準光ディスクとしたときのＲＦ信号の振幅をピークレベルで除して得られた標準比率値に基づいて、利得可変増幅部の利得を設定する光ディスク再生装置に関する。
【背景技術】
【０００２】
ＤＶＤ等の光ディスクの再生を行う装置にあっては、光ピックアップの出力から生成されたＲＦ信号を利得可変増幅部に導いており、この利得可変増幅部の利得を、ＲＦ信号の振幅に基づいて制御している。しかし、再生の対象となる光ディスクは、データが記録された光ディスクばかりではなく、データが未記録の光ディスクの場合もある。図３（Ａ）は、データが未記録の場合のＲＦ信号の波形を示しており、波形５０１は光ディスクの反射率が高い場合のＲＦ信号の波形、波形５０２は反射率が中程度の場合のＲＦ信号の波形、波形５０３は反射率が低い場合のＲＦ信号の波形を示している。しかし、振幅については、いずれの反射率の場合でも微小となっている。従って、このときでは、利得可変増幅部の利得は極めて大きな値に設定される。
【０００３】
一方、データが記録された光ディスクの場合では、ＲＦ信号は、図３（Ｂ）〜（Ｄ）の破線５１１〜５１３によって示したように、未記録の場合の振幅に比すると、極めて大きい振幅となっている。従って、未記録の領域を再生していたために、利得可変増幅部の利得が極めて大きい値に設定された状態にあるとき、再生位置が記録領域に移行すると、利得が記録領域に適切となる値に減少されるまでの期間においては、利得可変増幅部の利得が過大となる。従って、前記期間ではＲＦ信号がクリップするという事態が生じ、データの再生に支障が発生する。
【０００４】
このため、ＲＦ信号のピークレベルに基づいて利得可変増幅部の利得を制御する従来技術が提案されている。すなわち、この技術では、ピークレベルを検出するピークホールド回路を設け、ピークホールドされたレベルの逆数が利得となるように、利得可変増幅部の利得を制御している。従って、例えば、ピークレベルがＰ１となるときでは、ＲＦ信号の波形が破線５１１に示す波形に相当するとして、利得可変増幅部の利得が設定される。また、ピークレベルがＰ２となるときでは、ＲＦ信号の波形が破線５１２に示す波形に相当するとして、利得可変増幅部の利得が設定され、ピークレベルがＰ３となるときでは、ＲＦ信号の波形が破線５１３に示す波形に相当するとして、利得可変増幅部の利得が設定される（例えば、特許文献１参照）。
【特許文献１】特開２００４−２２０６３２号公報
【発明の開示】
【発明が解決しようとする課題】
【０００５】
しかしながら、上記技術を用いるときでは、以下に示す問題を生じていた。すなわち、利得可変増幅部に設定される利得をＧにより示し、ピークレベルをＰにより示すとすると、利得Ｇは、（Ｇ＝Ｋ／Ｐ）として示される（Ｋは定数）。一方、実機においては、定数Ｋを適切に設定できないときでは、動作が不安定となる。しかし、定数Ｋは、未記録時のＲＦ信号に対するものであり、振幅が極めて微小な信号に対するものであるため、振幅に基づいて算出することはできず、試行錯誤的に値を決めている。すなわち、適切な定数Ｋを設定することは、設計の現場においては困難な課題となっており、適切な定数Ｋを得るまでには長い期間を要していた。また、光ピックアップの特性にばらつきがあるため、個々の装置において、定数Ｋを違える必要があり、さらに手間を要することになっていた（上記した従来技術においては、定数Ｋの具体的な算出方法については、全く記載されていない）。
【０００６】
本発明は、上記の問題点を解決するため創案されたものであり、その目的は、利得可変増幅部の利得をＲＦ信号のピークレベルの逆数に定数を乗じた値とするときに、複雑な手順を用いることなく、定数を精度のよいものとすることのでき、且つ、再生位置が未記録領域であるときの利得可変増幅部の利得の精度を高めるときにも、再生位置が記録領域となるときの利得可変増幅部の利得の精度の低下を防止することのでき、且つ、未記録領域なのか記録領域なのかの判別の精度を高めることのできる光ディスク再生装置を提供することにある。
【０００７】
また本発明の目的は、対象となる光ディスクをデータが記録された標準光ディスクとしたときのＲＦ信号の振幅を、ＲＦ信号のピークレベルで除して得られた標準比率値を記憶し、ピークレベルに標準比率値を乗じることによって想定振幅値を求めた後、振幅の目標値である目標振幅値を想定振幅値で除することによって求めた想定利得を利得可変増幅部の利得とすることにより、利得可変増幅部の利得をＲＦ信号のピークレベルの逆数に定数を乗じた値とするときに、複雑な手順を用いることなく、定数を精度のよいものとすることのできる光ディスク再生装置を提供することにある。
【０００８】
また、上記目的に加え、再生位置が未記録領域であるときには利得可変増幅部の利得を想定利得とし、再生位置が記録領域であるときには振幅検出手段により検出された振幅に基づいて利得可変増幅部の利得を設定することにより、再生位置が未記録領域であるときの利得可変増幅部の利得の精度を高めるときにも、再生位置が記録領域となるときの利得可変増幅部の利得の精度の低下を防止することのできる光ディスク再生装置を提供することにある。
【課題を解決するための手段】
【０００９】
上記の課題を解決するため、本発明に係る光ディスク再生装置は、光ディスクからの反射光を検出する光ピックアップと、光ピックアップの出力からＲＦ信号を生成するアナログ信号部と、光ピックアップの出力からＤＰＤ信号を生成するＤＰＤ信号生成部と、ＲＦ信号のピークレベルを検出するピーク検出部と、ＲＦ信号を増幅する利得可変増幅部と、ＲＦ信号の振幅を検出する振幅検出手段と、利得可変増幅部の利得を、ピーク検出部により検出されたピークレベルの逆数に比例した利得に設定する利得制御手段とを備えた光ディスク再生装置に適用している。そして、光ピックアップにより反射光が検出される光ディスクをデータが記録された標準光ディスクとしたときのＲＦ信号の振幅を、前記ＲＦ信号のピークレベルで除して得られた標準比率値を記憶する比率値記憶手段と、ＤＰＤ信号のレベルに基づいて、光ピックアップが反射光を検出する位置が、データが記録されていない未記録領域なのか、あるいはデータが記録された記録領域なのかを判別する記録／未記録判別手段とを備え、利得制御手段は、記録／未記録判別手段の判別結果が未記録領域を示すときには、ピーク検出部により検出されたピークレベルに比率値記憶手段が記憶した標準比率値を乗じることによって想定振幅値を求め且つ利得可変増幅部の出力の振幅の目標値である目標振幅値を想定振幅値で除して得られた想定利得を利得可変増幅部の利得とし、記録／未記録判別手段の判別結果が記録領域を示すときには、目標振幅値を振幅検出手段により検出された振幅値で除して得られた実測利得を利得可変増幅部の利得とするようになっている。
【００１０】
すなわち、標準比率値は光ピックアップの特性のばらつきを含む値となっている。従って、ピーク検出部により検出されたピークレベルに標準比率値を乗じた値である想定振幅値も、光ピックアップの特性のばらつきを含む値となる。一方、再生の対象となる光ディスクを、データが記録された光ディスクとしたときのＲＦ信号の振幅値である実測振幅値は、光ピックアップの特性のばらつきを含む値となっている。このため、想定振幅値と実測振幅値との差異（想定振幅値に生じる誤差）においては、光ピックアップの特性のばらつきが相殺される。従って、想定振幅値と実測振幅値と差異（想定振幅値に生じる誤差）は、標準光ディスクの特性と、再生対象となる光ディスクの特性との差異からのみ生じるに過ぎず、小さい値に抑制される。また、再生位置が記録領域であるときには、実測されたＲＦ信号の振幅に基づいて利得可変増幅部の利得が設定される。また、ＤＰＤ信号のレベルは、再生位置が未記録領域であると記録領域であるときとで、レベルが極めて大きく変化する。
【００１１】
また本発明に係る光ディスク再生装置は、光ディスクからの反射光を検出する光ピックアップと、光ピックアップの出力からＲＦ信号を生成するアナログ信号部と、ＲＦ信号のピークレベルを検出するピーク検出部と、ＲＦ信号を増幅する利得可変増幅部と、利得可変増幅部の利得を、ピーク検出部により検出されたピークレベルの逆数に比例した利得に設定する利得制御手段とを備えた光ディスク再生装置に適用している。そして、光ピックアップにより反射光が検出される光ディスクをデータが記録された標準光ディスクとしたときのＲＦ信号の振幅を、前記ＲＦ信号のピークレベルで除して得られた標準比率値を記憶する比率値記憶手段を備え、利得制御手段は、ピーク検出部により検出されたピークレベルに比率値記憶手段が記憶した標準比率値を乗じることによって想定振幅値を求め、利得可変増幅部の出力の振幅の目標値である目標振幅値を想定振幅値で除して得られた想定利得を利得可変増幅部の利得とするようになっている。
【００１２】
すなわち、標準比率値は、光ピックアップの特性のばらつきを含む値となっている。従って、ピーク検出部により検出されたピークレベルに標準比率値を乗じた値である想定振幅値は、光ピックアップの特性のばらつきを含む値となる。一方、再生の対象となる光ディスクを、データが記録された光ディスクとしたときのＲＦ信号の振幅値（実測振幅値）は、光ピックアップの特性のばらつきを含む値となっている。このため、想定振幅値と実測振幅値との差異（想定振幅値に生じる誤差）においては、光ピックアップの特性のばらつきが相殺される。従って、想定振幅値と実測振幅値と差異は、標準光ディスクの特性と、再生対象となる光ディスクの特性との差異からのみ生じるに過ぎず、小さい値に抑制される。
【００１３】
また、上記構成に加え、光ピックアップが反射光を検出する位置が、データが記録されていない未記録領域なのか、あるいはデータが記録された記録領域なのかを判別する記録／未記録判別手段と、ＲＦ信号の振幅を検出する振幅検出手段とを備え、利得制御手段は、記録／未記録判別手段の判別結果が未記録領域を示すときには利得可変増幅部の利得を想定利得とし、記録／未記録判別手段の判別結果が記録領域を示すときには目標振幅値を振幅検出手段により検出された振幅値で除して得られた実測利得を利得可変増幅部の利得とするようになっている。すなわち、再生位置が記録領域であるときには、実測されたＲＦ信号の振幅に基づいて利得可変増幅部の利得が設定される。
【発明の効果】
【００１４】
本発明によれば、標準比率値は光ピックアップの特性のばらつきを含む値となっているので、ピーク検出部により検出されたピークレベルに標準比率値を乗じた値である想定振幅値も、光ピックアップの特性のばらつきを含む値となる。一方、再生の対象となる光ディスクを、データが記録された光ディスクとしたときのＲＦ信号の振幅値である実測振幅値は、光ピックアップの特性のばらつきを含む値となっている。このため、想定振幅値と実測振幅値との差異（想定振幅値に生じる誤差）においては、光ピックアップの特性のばらつきが相殺される。従って、想定振幅値と実測振幅値と差異は、標準光ディスクの特性と、再生対象となる光ディスクの特性との差異からのみ生じるに過ぎず、小さい値に抑制される。また、再生位置が記録領域であるときには、実測されたＲＦ信号の振幅に基づいて利得可変増幅部の利得が設定される。また、ＤＰＤ信号のレベルは、再生位置が未記録領域であると記録領域であるときとで、レベルが極めて大きく変化する。このため、利得可変増幅部の利得をＲＦ信号のピークレベルの逆数に定数を乗じた値とするときに、複雑な手順を用いることなく、定数を精度のよいものとすることができ、且つ、再生位置が未記録領域であるときの利得可変増幅部の利得の精度を高めるときにも、再生位置が記録領域となるときの利得可変増幅部の利得の精度の低下を防止することができ、且つ、未記録領域なのか記録領域なのかの判別の精度を高めることができる。
【００１５】
また本発明によれば、標準比率値は、光ピックアップの特性のばらつきを含むので、ピーク検出部により検出されたピークレベルに標準比率値を乗じた値である想定振幅値も、光ピックアップの特性のばらつきを含む値となる。一方、再生の対象となる光ディスクを、データが記録された光ディスクとしたときのＲＦ信号の振幅値（実測振幅値）は、光ピックアップの特性のばらつきを含む値となっている。このため、想定振幅値と実測振幅値との差異（想定振幅値に生じる誤差）においては、光ピックアップの特性のばらつきが相殺される。従って、想定振幅値と実測振幅値と差異は、標準光ディスクの特性と、再生対象となる光ディスクの特性との差異からのみ生じるに過ぎず、小さい値に抑制される。このため、利得可変増幅部の利得をＲＦ信号のピークレベルの逆数に定数を乗じた値とするときに、複雑な手順を用いることなく、定数を精度のよいものとすることができる。
【００１６】
また、さらに、再生位置が記録領域であるときには、実測されたＲＦ信号の振幅に基づいて利得可変増幅部の利得が設定されるので、再生位置が未記録領域であるときの利得可変増幅部の利得の精度を高めるときにも、再生位置が記録領域となるときの利得可変増幅部の利得の精度の低下を防止することができる。
【発明を実施するための最良の形態】
【００１７】
以下、本発明の実施の形態について図を参照して説明する。
【００１８】
図１は、本発明に係る光ディスク再生装置の一実施形態であるＤＶＤレコーダの電気的構成を示すブロック線図であり、記録系統に関しては図示が省略されている。図２は、アナログ信号処理部とＤＰＤ信号生成部との電気的構成を示すブロック線図である。
【００１９】
図において、光ピックアップ３は、４分割された受光素子３０１を備えており、スピンドルモータ２によって回転駆動されるＤＶＤ（光ディスク）１にレーザ光を照射するとともに、受光素子３０１を用いてＤＶＤ１からの反射光を検出する。そして、受光素子３０１の出力をアナログ信号処理部４とＤＰＤ信号生成部７とに出力する。アナログ信号処理部４は、受光素子３０１の４分割された各領域の出力を加算器４１で加算し、加算結果を、ＲＦ信号４０１として、ピーク検出部８、ボトム検出部９、および、利得可変増幅部５に出力する。また、アナログ信号処理部４は、図示されない演算器を用いてフォーカスエラー信号を生成し、サーボ制御部６に出力する。
【００２０】
ピーク検出部８はＲＦ信号４０１のピークレベルを検出し、マイクロコンピュータ（以下では、マイコンと称する）１１に送出する。ボトム検出部９はＲＦ信号４０１のボトムレベルを検出し、マイコン１１に送出する。利得可変増幅部５は、マイコン１１から指示された利得でもってＲＦ信号４０１を増幅し、図示されない信号処理部（デジタルデータの復調やエラー訂正等を行う）に出力する。
【００２１】
ＤＰＤ信号生成部７は、受光素子３０１の４分割された各領域の出力からＤＰＤ信号７０１を生成し、生成したＤＰＤ信号７０１を、トラッキングエラー信号としてサーボ制御部６に出力する。また、生成したＤＰＤ信号７０１をマイコン１１に出力する（図２に示す構成の詳細については、後述する）。サーボ制御部６は、アナログ信号処理部４から出力されるフォーカスエラー信号（図示を省略）とＤＰＤ信号７０１とに基づき、光ピックアップ３のトラッキングとフォーカシングとをサーボ制御する。また、スピンドルモータ２の回転をサーボ制御する。
【００２２】
記録／未記録判別手段１８は、ＤＰＤ信号７０１のレベルに基づき、光ピックアップ３が反射光を検出する位置が、データが記録されていない未記録領域であるのか、あるいは、データが記録された記録領域であるのかを判別する。振幅検出手段１６は、ピーク検出部８によって検出されたピークレベルと、ボトム検出部９によって検出されたボトムレベルとの差異を求める。すなわち、ＲＦ信号４０１の振幅を検出する。
【００２３】
比率値検出手段１４は、光ピックアップ３により反射光が検出されるＤＶＤ１を、データが記録された標準光ディスクとしたとき、振幅検出手段１６によって検出された振幅をピークレベルで除することによって標準比率値を求める。比率値記憶手段１５は、比率値検出手段１４によって求められた標準比率値を記憶する。
【００２４】
利得制御手段１７は、利得可変増幅部５の利得を、ピーク検出部８により検出されたピークレベルの逆数に比例した利得に設定する。詳細には、記録／未記録判別手段１８の判別結果が未記録領域であることを示すときには、ピーク検出部８により検出されたピークレベルに、比率値記憶手段１５が記憶した標準比率値を乗じることによって想定振幅値を求め、利得可変増幅部５の出力の振幅の目標値である目標振幅値を想定振幅値で除して得られた想定利得を利得可変増幅部５の利得とする。また、記録／未記録判別手段１８の判別結果が記録領域を示すときには、目標振幅値を、振幅検出手段１６によって検出された振幅値で除して得られた実測利得を利得可変増幅部５の利得とする。
【００２５】
以下に、ＤＰＤ信号生成部７の構成の詳細について説明する。
【００２６】
増幅器７３Ａ〜７３Ｄは、受光素子３０１の各領域から送出される信号を所定の増幅率で増幅し、対応する２値化回路７４Ａ〜７４Ｄに出力する。２値化回路７４Ａ〜７４Ｄは、増幅器７３Ａ〜７３Ｄの出力を２値化することによって２値化信号を生成する。第１の位相比較回路７１は、トラック軸Ｔｒに対して同じ側に位置する領域Ａ，Ｂのそれぞれの出力の２値化信号の位相の差異を検出し、加算回路７５に出力する。また、第２の位相比較回路７２は、トラック軸Ｔｒに対して同じ側に位置する領域Ｃ，Ｄの出力の２値化信号の位相の差異を検出し、加算回路７５に出力する。ローパスフィルタ７６は、加算回路７５の出力から高周波成分を除去した信号を、ＤＰＤ信号７０１として、マイコン１１とサーボ制御部６とに出力する。
【００２７】
ＤＰＤ信号生成部７は、上記した構成となっている。従って、ＤＶＤ１が未記録であるため、ＲＦ信号４０１の振幅がノイズレベルに準じる程度の微小レベルとなる場合、２値化回路７４Ａ〜７４Ｄの出力は変化しない。そのため、第１の位相比較回路７１の出力および第２の位相比較回路７２の出力も変化しない。従って、ＤＰＤ信号７０１のレベルはノイズレベル程度の微小レベルに留まる。一方、ＤＶＤ１が記録済みである場合、ＲＦ信号４０１の振幅は充分なレベルとなり、２値化回路７４Ａ〜７４Ｄの出力は、ピットの通過に対応して変化する。その結果、第１の位相比較回路７１の出力と第２の位相比較回路７２の出力とのそれぞれには、位相差を示すパルスが現れる。このため、ＤＰＤ信号７０１のレベルは、充分なレベルとなる。
【００２８】
すなわち、ＤＰＤ信号７０１のレベルは、ＤＶＤ１が未記録であるときにはノイズレベル程度の微小レベルとなるが、ＤＶＤ１が記録済みであるときには、充分にレベルの大きい信号となる。つまり、ＤＰＤ信号７０１は、ＤＶＤ１が未記録であるときと記録済みであるときとで、そのレベルが大きく異なる信号となっている。このため、ＤＰＤ信号７０１のレベルが所定レベルより大きいかどうかに基づき、ＤＶＤ１が未記録であるのか、あるいは、記録済みであるのかを判別する場合、判別の基準となる所定レベルの設定が極めて容易であり、且つ、判別の精度も極めて高いものとなっている。
【００２９】
図４は、標準比率値を取得するときの実施形態の主要動作を示すフローチャート、図５は、利得可変増幅部の利得を設定するときの実施形態の主要動作を示すフローチャートである。必要に応じて同図を参照しつつ、実施形態の動作を説明する。
【００３０】
標準比率値を取得して記憶させるときには、データが記録された標準ディスク（反射率等の種々の特性が、規格の中央値となるように形成されたＤＶＤであり、以下では、標準ＤＶＤと称する）１を再生位置にセットする（ステップＳ１）。次いで、標準ＤＶＤ１の再生を行う（ステップＳ２）。
【００３１】
再生が開始されると、アナログ信号処理部４からＲＦ信号４０１が出力されるので、ピーク検出部８はピークレベルを検出してマイコン１１に出力し、ボトム検出部９はボトムレベルを検出してマイコン１１に出力する。振幅検出手段１６は、ピークレベルとボトムレベルとの差異である振幅を求める。比率値検出手段１４は、振幅検出手段１６により検出された振幅をピークレベルで除した値である比率値を求め（ステップＳ３）、図示されない所定エリアに記憶する（ステップＳ４）。そして、比率値を求める動作が所定回数（例えば、５回）となったかどうかを調べる（ステップＳ５）。
【００３２】
このときでは、１回目であるので、動作は、ステップＳ５からステップＳ９に移行し、再生位置を少しだけ移動した後、再度、標準ＤＶＤ１の再生を行い、比率値を求め、所定エリアに記憶する（ステップＳ２〜Ｓ４）。そして、上記動作を５回繰り返した後には、動作をステップＳ５からステップＳ６に移行し、所定エリアに記憶した５つの比率値の平均値を求め、求めた平均値を標準比率値として、比率値記憶手段１５に記憶する。なお、上記した一連の動作は、製造ライン等において実施される（標準比率値は０．７であるとする）。
【００３３】
製造ラインを離れたときでは、比率値記憶手段１５には標準比率値が記憶されている。この状態において、通常の記録可能なＤＶＤ１を再生すると（ステップＳ１１）、ピーク検出部８はピークレベルを検出し、マイコン１１に出力する。また、ボトム検出部９はボトムレベルを検出し、マイコン１１に出力する。また、記録／未記録判別手段１８は、ＤＰＤ信号７０１のレベルに基づき、ＤＶＤ１の再生位置が未記録領域であるのか、あるいは、記録領域であるのかを判別する（ステップＳ１２）。
【００３４】
利得制御手段１７は、記録／未記録判別手段１８の判別結果が未記録領域であることを示す場合、ピーク検出部８により検出されたピークレベル（１００ｍＶであるとする）に、比率値記憶手段１５に記憶された標準比率値（０．７）を乗じることによって想定振幅値（７０ｍＶ）を算出する（ステップＳ１３）。なお、この想定振幅値は、ＤＶＤ１が、データが記録されたディスクであると仮定した場合に、利得可変増幅部５に入力されるＲＦ信号４０１の振幅の想定値を示している。このため、利得制御手段１７は、利得可変増幅部５から出力されるＲＦ信号５０１の目標振幅値（２００ｍＶであるとする）を、想定振幅値（７０ｍＶ）で除することによって得られた値（２０／７）を、利得可変増幅部５の利得とする（ステップＳ１４）。
【００３５】
一方、ステップＳ１２の判別において、判別結果が記録領域であることを示す場合、動作はステップＳ１８に移行し、振幅検出手段１６によってＲＦ信号４０１の振幅が検出される。そして後、目標振幅値を、振幅検出手段１６によって検出された振幅で除して得られた値である実測振幅値を、利得可変増幅部５の利得とする（ステップＳ１９）。
【００３６】
以下に補足的な説明を行う。図６（Ａ）の５５１、図６（Ｂ）の５６１は、標準ＤＶＤ１を再生したときにアナログ信号処理部４から出力されるＲＦ信号４０１の波形の概略を示しており、波形５５１は、光ピックアップ３の出力レベルが大きい場合の波形、波形５６１は、光ピックアップ３の出力レベルが小さい場合の波形を示している。すなわち、同じ標準ＤＶＤ１を再生するときであっても、光ピックアップ３の特性のばらつきによって、アナログ信号処理部４から出力されるＲＦ信号４０１のレベルにはばらつきがあることを示している。
【００３７】
ＲＦ信号４０１の波形が５５１に示す波形（ピークレベルがＰＬａ、ボトムレベルがＢＬａ）となる場合、比率値記憶手段１５に記憶される標準比率値Ｍ１は、
Ｍ１＝（ＰＬａ−ＢＬａ）／ＰＬａ
となる。このとき、標準ＤＶＤ１に反射率が準じる未記録ディスクを再生すると、ＲＦ信号４０１の波形は５５２となり、そのレベルはＰＬａとなる。従って、想定振幅値ＳＧ１は、
ＳＧ１＝ＰＬａ×Ｍ１
として求められるので、
ＳＧ１＝ＰＬａ−ＢＬａ
となる。すなわち、破線５５３によって示す波形に該当することになる。一方、波形５５３は、標準ＤＶＤ１を再生したときにアナログ信号処理部４から出力されるＲＦ信号４０１の波形５５１に極めて近似した波形となっている。すなわち、想定振幅値は、再生しているＤＶＤ１にデータが記録されていると仮定した場合に、アナログ信号処理部４から出力されるＲＦ信号４０１の振幅を極めて精度よく示すことになる。
【００３８】
一方、ＲＦ信号４０１の波形が５６１に示す波形（ピークレベルがＰＬｂ、ボトムレベルがＢＬｂ）となる場合、比率値記憶手段１５に記憶される標準比率値Ｍ２は、
Ｍ２＝（ＰＬｂ−ＢＬｂ）／ＰＬｂ
となる。このとき、標準ＤＶＤ１に反射率が準じる未記録ディスクを再生すると、ＲＦ信号４０１の波形は５６２となり、そのレベルはＰＬｂとなる。従って、想定振幅値ＳＧ２は、
ＳＧ２＝ＰＬｂ×Ｍ２
として求められるので、
ＳＧ２＝ＰＬｂ−ＢＬｂ
となる。すなわち、破線５６３によって示す波形に該当することになる。一方、波形５６３は、標準ＤＶＤ１を再生したときにアナログ信号処理部４から出力されるＲＦ信号４０１の波形５６１に極めて近似した波形となっている。すなわち、想定振幅値は、再生しているＤＶＤ１にデータが記録されていると仮定した場合に、アナログ信号処理部４から出力されるＲＦ信号４０１の振幅を極めて精度よく示すことになる。
【００３９】
以上説明したように、光ピックアップ３の特性にばらつきがあるときにも、想定振幅値ＳＧ１，ＳＧ２は、再生しているＤＶＤ１にデータが記録されていると仮定した場合に、アナログ信号処理部４から出力されるＲＦ信号４０１の振幅を極めて精度よく示すことになる。
【００４０】
言い換えるなら、光ピックアップ３の特性にばらつきがあり、光ピックアップ３の出力レベルが異なる場合にも、利得可変増幅部５の出力レベルが目標振幅値となるように、利得可変増幅部５の利得が精度よく設定されることを意味している。すなわち、製造時に簡単な操作（標準ＤＶＤ１を再生させる操作）を行うのみで、利得可変増幅部５の利得をＫ／Ｐ（ピークレベルの逆数に定数Ｋを乗じた値）とするときの定数Ｋの精度を高めることが可能となっている。
【００４１】
以上で、光ピックアップ３の特性のばらつきがあるときの想定振幅値についての説明を終了し、以下に、再生対象となるＤＶＤ１の反射率が異なる場合について説明する。
【００４２】
再生位置が未記録領域であるとすると、反射率が高い場合には、ＲＦ信号４０１は、図３（Ａ）の５０１に示す波形となり、ピークレベルはＰ１となる。従って、想定振幅値は図３（Ｂ）の破線５１１に示す信号波形の振幅を示すことになる。また、反射率が中程度の場合には、ＲＦ信号４０１は５０２に示す波形となり、ピークレベルはＰ２となる。従って、想定振幅値は図３（Ｃ）の破線５１２に示す信号波形の振幅を示すことになる。また、反射率が低い場合には、ＲＦ信号４０１は５０３に示す波形となり、ピークレベルはＰ３となる。従って、想定振幅値は図３（Ｄ）の破線５１４に示す信号波形の振幅を示すことになる。
【００４３】
すなわち、反射率が異なることから、ＲＦ信号４０１のピークレベルが異なる場合でも、想定振幅値は、データが記録されていると仮定した場合に、アナログ信号処理部４から出力されるＲＦ信号４０１の振幅を精度よく示すことになる。その結果、再生対象となるＤＶＤ１の反射率が異なる場合であっても、利得可変増幅部５の出力レベルが目標振幅値となるように、利得可変増幅部５の利得が精度よく設定されることになる。
【００４４】
なお、本発明は上記実施形態に限定されず、発明の主旨が変更されない限りでは、その他の構成とすることができる。
【図面の簡単な説明】
【００４５】
【図１】本発明に係る光ディスク再生装置の一実施形態であるＤＶＤレコーダの電気的構成を示すブロック線図である。
【図２】アナログ信号処理部とＤＰＤ信号生成部との電気的構成を示すブロック線図である。
【図３】光ディスクの反射率が異なる場合のＲＦ信号のピークレベルを示す説明図である。
【図４】標準比率値を取得するときの実施形態の主要動作を示すフローチャートである。
【図５】利得可変増幅部の利得を設定するときの実施形態の主要動作を示すフローチャートである。
【図６】ＲＦ信号のレベルとピークレベルとの関係を示す説明図である。
【符号の説明】
【００４６】
１  ＤＶＤ（光ディスク）
３  光ピックアップ
４  アナログ信号処理部
５  利得可変増幅部
７  ＤＰＤ信号生成部
８  ピーク検出部
１５  比率値記憶手段
１６  振幅検出手段
１７  利得制御手段
１８  記録／未記録判別手段
４０１  ＲＦ信号
７０１  ＤＰＤ信号
【図１】
2007080398.tif 000003
【図２】
2007080398.tif 000004
【図３】
2007080398.tif 000005
【図４】
2007080398.tif 000006
【図５】
2007080398.tif 000007
【図６】
2007080398.tif 000008